(57)【要約】本発明は、良好な竿の調子を演出できる繊維強化樹脂素材からなる釣竿を提供するものである。釣竿を構成する筒状体である竿体は、炭素繊維若しくはガラス繊維などの強化繊維に合成樹脂を含浸させてなるプリプレグ素材からなる本層と、本層に積層される高比重プリプレグ素材からなる重量層と、本層及び重量層の外周面に塗布される塗材からなる塗料層と備える。この重量層は竿体全体の５〜５０重量％を占める。特に、重量層は、共振振動状態における腹若しくは節の部分の何れかに存在するのが好ましい。
2004064509.tif 000002
【特許請求の範囲】
【請求項１】
釣竿を構成する筒状体である竿体であって、
炭素繊維若しくはガラス繊維などの強化繊維に合成樹脂を含浸させてなるプリプレグ素材からなる本層と、
前記本層に積層される高比重プリプレグ素材からなる重量層と、
前記本層及び重量層の外周面に塗布される塗材からなる塗料層と備え、
前記重量層が竿体全体の５〜５０重量％の重さである竿体。
【請求項２】
前記重量層は前記本層の外周に部分的に積層されており、前記塗料層が前記本層及び重量層の外周面に塗布される、請求項１に記載の竿体。
【請求項３】
前記本層は複数のプリプレグ素材を積層して構成されており、
前記重量層は前記本層の複数のプリプレグ素材の間に積層されている、請求項１に記載の竿体。
【請求項４】
前記高比重プリプレグ素材は、ガラススクリームにエポキシ樹脂を含浸させたものに金属粉末を混入したものである、請求項１〜３の何れかに記載の竿体。
【請求項５】
複数の竿体を連結してなる釣竿であって、
前記竿体は、炭素繊維若しくはガラス繊維などの強化繊維に合成樹脂を含浸させてなるプリプレグ素材からなる本層，前記本層に積層される高比重プリプレグ素材からなる重量層，前記本層及び重量層の外周面に塗布される塗材からなる塗料層と備え、前記重量層が竿体全体の５〜５０重量％の重さであり、
前記重量層が、釣竿全体の第２次の共振振動状態に於ける節若しくは腹の位置の少なくとも１カ所に当たる釣竿の軸方向位置に配置されている、釣竿。
【請求項６】
複数の竿体を連結してなる釣竿であって、
前記竿体は、炭素繊維若しくはガラス繊維などの強化繊維に合成樹脂を含浸させてなるプリプレグ素材からなる本層，前記本層に積層される高比重プリプレグ素材からなる重量層，前記本層及び重量層の外周面に塗布される塗材からなる塗料層と備え、前記重量層が竿体全体の５〜５０重量％の重さであり、
前記重量層が、釣竿全体の第３次の共振振動状態に於ける節若しくは腹の位置の少なくとも１カ所に当たる釣竿の軸方向位置に配置されている、釣竿。
【請求項７】
複数の竿体を連結してなる釣竿であって、
前記竿体は、炭素繊維若しくはガラス繊維などの強化繊維に合成樹脂を含浸させてなるプリプレグ素材からなる本層，前記本層に積層される高比重プリプレグ素材からなる重量層，前記本層及び重量層の外周面に塗布される塗材からなる塗料層と備え、前記重量層が竿体全体の５〜５０重量％の重さであり、
前記重量層が、釣竿全体の第４次の共振振動状態に於ける節若しくは腹の位置の少なくとも１カ所に当たる釣竿の軸方向位置に配置されている、釣竿。
【発明の詳細な説明】
【技術分野】  本発明は釣竿、特に、炭素繊維がガラス繊維などの強化繊維に合成樹脂を含浸させた繊維強化樹脂からなる釣竿に関する。
【背景技術】  近時の多くの釣竿を構成する竿体は、炭素繊維やガラス繊維などの強化繊維に合成樹脂を含浸させた繊維強化樹脂素材（プリプレグ素材）から構成されている。このような素材を用いることで、軽量化・物理的強度の向上などを図っている。また、釣竿は、釣竿仕掛けの投げ入れや魚の取込などの際の撓みが重要視され、屈曲性・剛性等も重要な要素とされる。そこで、釣竿を構成する竿体の太さや肉厚等を調整して良好な釣竿の特性（竿の調子）を演出している。例えば、竿体を製造するための繊維強化樹脂素材を部分的に積層させながら巻回する技術（例えば、日本国：特開２００２−２０９４７７号公報，図２参照）や、軸方向で部分的に弾性の異なる繊維強化樹脂素材を巻回する技術（例えば、日本国：特開平１１−２８９９２５号公報，図２参照）などが提案されている。
しかし、上述の従来の手法のように、単に、プリプレグ素材を部分的に変化させ若しくは積層させて竿体を製造すると、釣竿のバランスを損ない逆に竿の調子を損なう恐れもある。そこで、竿の調子を調整するための技術のさらなる発展が求められている。
本発明の課題は、良好な竿の調子を演出できる繊維強化樹脂素材からなる釣竿を提供することにある。
【発明の開示】
本発明に係る竿体は、釣竿を構成する筒状体である竿体であって、炭素繊維若しくはガラス繊維などの強化繊維に合成樹脂を含浸させてなるプリプレグ素材からなる本層と、本層に積層される高比重プリプレグ素材からなる重量層と、本層及び重量層の外周面に塗布される塗材からなる塗料層と備え、重量層が竿体全体の５〜５０重量％の重さである。このように、釣竿全体に対して所定の重量％の範囲内で重量層を設定し、本層に重量層を積層することで、竿の調子を損なうこと無く、その調整を図ることができる。なお、好ましくは、重量層が竿体全体の１５〜５０重量％とするのが、竿の調子を維持する上では好ましい。
また、本発明の別の竿体では、重量層は本層の外周に部分的に積層されており、塗料層が本層及び重量層の外周面に塗布される。重量層を本層の外周に部分的に積層することで、釣竿全体の軸方向での重量バランスを図りつつ良好な竿の調子を演出できる。
さらに、本発明の別の竿体では、本層は複数のプリプレグ素材を積層して構成されており、重量層は本層の複数のプリプレグ素材の間に積層されている。重量層を本層の間に積層することで、釣竿の軸方向の所定の位置で径方向のバランスを図りつつ良好な竿の調子を演出できる。
さらにまた、本発明の別の竿体では、高比重プリプレグ素材は、ガラススクリームにエポキシ樹脂を含浸させたものに金属粉末を混入したものとされる。例えば、このような高比重プリプレグ素材を６００ｇ／ｍ２，厚さ０．１１０ｍｍ程度とするのが、竿の調子を整える上で好ましい。
本発明に係る釣竿は、複数の竿体を連結してなる釣竿であって、竿体は、炭素繊維若しくはガラス繊維などの強化繊維に合成樹脂を含浸させてなるプリプレグ素材からなる本層，本層に積層される高比重プリプレグ素材からなる重量層，本層及び重量層の外周面に塗布される塗材からなる塗料層と備えている。そして、重量層が竿体全体の５〜５０重量％の重さであり、重量層が、釣竿全体の第２次の共振振動状態に於ける節若しくは腹の位置の少なくとも１カ所に当たる釣竿の軸方向位置に配置されている。
ここでいう「第２次の共振振動」とは、以下のような方法で測定された釣竿の共振振動である。まず、釣竿の竿元側端部から８０ｍｍの範囲を挟持体で挟持して固定し、釣竿を水平方向に維持する。この挟持体を介して加振器から釣竿に振動を加える（釣竿の振動数）。この加振器における加速度を加速度センサーで検知して入力加速度（Ａ）とする。一方、釣竿の竿元側端部より１８０ｍｍの位置における加速度を加速度センサーで検知して出力加速度（Ｂ）とする（図５参照）。そして、このＢ／Ａの比を釣竿の振動数に対してプロットし、このＢ／Ａの比がピークとなった状態（共振振動状態）を、釣竿の振動数の小さい方から順に第１次，第２次，第３次，第４次の共振振動とした。このＢ／Ａの比を釣竿の振動数に対してプロットしたグラフの一例を示す（なお、この表１に示すグラフは一例であり、本件発明の内容の特定の数値に関連するものではない）。
2004064509.tif 000003
上記グラフは一例であり、このような両者の関係は、釣竿を構成する竿体の材質，肉厚，径，重量分布などによって変化する。
このような共振振動の中で、第２次の共振振動の振動状態に於ける節または腹の位置に重量層を配置して、係る部分を部分的に加重することで、効果的に竿の調子を調整することができる。
例えば、腹の部分に重量層を配置して部分的に加重すれば、共振振動を生じる共振振動数を効果的にシフトさせる、ことができ、共振振動状態を調整できる。節の部分に重量層を配置して部分的に加重すれば、共振振動を生じる共振振動数に与える影響を可及的に小さく抑えながら重量化を図ることができる。
また、本発明に係る別の釣竿は、複数の竿体を連結してなる釣竿であって、竿体は、炭素繊維若しくはガラス繊維などの強化繊維に合成樹脂を含浸させてなるプリプレグ素材からなる本層，本層に積層される高比重プリプレグ素材からなる重量層，本層及び重量層の外周面に塗布される塗材からなる塗料層と備えている。そして、重量層が竿体全体の５〜５０重量％の重さであり、重量層が、釣竿全体の第３次の共振振動状態に於ける節若しくは腹の位置の少なくとも１カ所に当たる釣竿の軸方向位置に配置されている。
ここでいう「第３次の共振振動」は、上述のような方法で測定される第３次の共振振動状態を意味する。第３次の共振振動の振動状態に於ける節または腹の位置に重量層を配置して、係る部分を部分的に加重することで、効果的に竿の調子を調整することができる。
さらに、本発明に係る別の釣竿は、複数の竿体を連結してなる釣竿であって、竿体は、炭素繊維若しくはガラス繊維などの強化繊維に合成樹脂を含浸させてなるプリプレグ素材からなる本層，本層に積層される高比重プリプレグ素材からなる重量層，本層及び重量層の外周面に塗布される塗材からなる塗料層と備えている。そして、重量層が竿体全体の５〜５０重量％の重さであり、重量層が、釣竿全体の第４次の共振振動状態に於ける節若しくは腹の位置の少なくとも１カ所に当たる釣竿の軸方向位置に配置されている。
ここでいう「第４次の共振振動」は、上述のような方法で測定される第４次の共振振動を意味する。第４次の共振振動の振動状態に於ける節または腹の位置に重量層を配置して、係る部分を部分的に加重することで、効果的に竿の調子を調整することができる。
【図面の簡単な説明】  図１：本発明の第１実施形態を採用した釣竿の全体図である。
図２：図１の中竿２の断面図である。
図３：図２の竿体の製造工程を示した図である。
図４：他の実施形態に係る竿体の製造工程を示した図である。
図５：本発明における共振振動数を測定する状態を示した図である。
図６：有限要素モデルにおける参考図である。
図７：リンクモデルにおける参考図である。
【発明を実施するための最良の形態】  以下、本発明の１つの実施形態を採用した釣竿について説明する。
（ヘラ竿の構造）
この釣竿はヘラ鮒釣りに用いられるヘラ竿である。図１に示すように、手元側から順に、元竿１、中竿２、穂先竿３の３本の竿体から構成される。これらの竿体は炭素繊維若しくはガラス繊維などの強化繊維に合成樹脂を含浸させたプリプレグ素材を焼成して形成されている。後に詳しく説明するように、部分的に高比重プリプレグも積層される。これらの竿体は、それぞれ外観を天然竹に似せて塗装されており、例えば、竹の節や枝跡などを立体的に塗装してもよい（図２参照）。
各竿体は、いわゆる並継形式によって順次連結され、例えば、元竿１の穂先側端部に中竿２の竿元側端部が部分的に挿入され連結される。もっとも、この竿体同士の連結方法は並継形式に限定されるものではなく、周知の手法（例えば、振出形式，インロー継ぎ形式など）を適用することも当然に可能である。また、元竿１の竿元側端部にはウレタン樹脂等を含浸させた紐体を巻回して形成されるグリップ４が設けられ、穂先竿３の穂先側端部には釣糸係止具５が装着されている。なお、これら３本の竿体を順次連結した際のヘラ竿の全長は９尺（２７００ｍｍ）となる。
次に、図２において、このヘラ竿を構成する竿体の構造を、中竿２を例に説明する。
中竿２は、本層１１と、本層１１の外周層として軸方向の一定の範囲において積層されている重量層１２と、これら本層１１と重量層１２との周面に積層される塗料層１３とを有する。
本層１１は、プリプレグ素材を積層してなる層である。プリプレグ素材は同一のものを積層する場合や、異なる種類のものを積層する場合がある。例えば、炭素繊維が周方向乃至周方向から一定の角度をもった方向に配向されるようにしてエポキシ樹脂を含浸させたプリプレグ素材をテープ状に加工したものや、炭素繊維を軸方向に配向しエポキシ樹脂を含浸させたプリプレグ素材をシート状に加工したものなどが例示できる。
重量層１２は、比重の大きな高比重プリプレグ素材から構成される。高比重プリプレグ素材とは、例えば、ガラススクリームにエポキシ樹脂を含浸させてさらにタングステンなどの金属粉末を混入したものである。そして、この高比重プリプレグは５００〜６００ｇ／ｍ２、厚さ０．１００〜０．１５０ｍｍ程度のものである。この高比重プリプレグ素材を、後述のように計算して得る所定の軸方向位置において、上述の本層１１上に積層する。
なお、この重量層１２は、竿体全体（本層１１〜塗料層１３）の５〜５０重量％の割合で、好ましくは、１５〜５０重量％の割合で存在する。重量層１２が所定の範囲を超えて存在すると、竿体全体のバランスを損ない、竿の調子を却って不当なものとする危険がある。
塗料層１３は、エポキシ樹脂やウレタン樹脂等の合成樹脂塗材を塗布して形成される。本層１１と重量層１２との段差はこの塗料層１３によって解消される。また、図２に示すように、中竿２を天然竹のような外観を有するように、竹の節などを形成する場合には、部分的にプリプレグ素材を巻回して焼成し、若しくはエポキシ樹脂を厚塗りして、所定の形状に削って竹の節などを形成する。なお、他の竿体もその径等を異にするが同様の構造であり、その説明は省略する。
（ヘラ竿の製造方法）
次に、このヘラ竿の製造方法について説明する。例えば、全長が２７００ｍｍであり、その第２次の共振振動数を５．４５Ｈｚに設定する場合を説明する。
まず、予定する元竿１〜穂先竿３を連結して一本のヘラ竿とした際の釣竿の第２次の共振振動数が５．４５Ｈｚとなるように、竿体上の重量バランスを計算する。即ち、予定する元竿１〜穂先竿３の径・長さ・プリプレグ素材・高比重プリプレグ素材の弾性・重さなどから、第２次の共振振動となる際の釣竿の振動数（共振振動数）が５．４５Ｈｚとなるような各竿体における重量分布をシミュレートし、上述の高比重プリプレグ素材を積層するべき軸方向範囲を個々の竿体毎に算出する。このような重量分布をシミュレートするには、有限要素法あるいはリンクモデル等の手法を用いることが出来る。
例えば、有限要素法による解析としては、図６に示すように、釣竿を節点で並進方向と回転方向との２つの自由度を有するＮ個の一次元のはり要素から構成される片持ちの弾性はりでモデル化する。各はり要素では要素内で一様断面であると仮定する。一端を固定端とし、他端を自由端としての境界条件のもとで共振振動数それに対応するモード形状を計算する。
また、リンクモデルによる解析としては、釣竿は使用中に大きな変形を起こすので大変形（幾何学的非線形性）に対応したマルチボディダイナミクスによるモデル化を行う。図７に示すように、ここでは、節点に回転バネを有するＮ個の剛体リンクからなるマルチボディを用いてモデル化する。リンクモデルを用いて釣竿をモデル化することにより、隣り合う剛体リンク同士の姿勢角に制限がなくなるので、どのような大変形でも記述することができる。拘束条件付きの釣竿の運動方程式は、式１として導出できる。
2004064509.tif 000004
次に、図３（ａ）に示すように、それぞれの竿体の径乃至テーパ変化にあわせて設けられているマンドレル１００に必要なプリプレグ素材Ｐ１を巻回し（上述のように、テープ状のものやシート状のものを巻回できる）、上記算出した所定の軸方向範囲には高比重プリプレグ素材Ｐ２を巻回する（図３（ｂ））。重量を十分に演出するために高比重プリプレグ素材Ｐ２を数プライ巻回してもよい。また、図３（ｂ）では一枚の高比重プリプレグ素材Ｐ２のみをプリプレグ素材Ｐ１上に巻回しているが、軸方向に間隔を隔てて２以上の高比重プリプレグ素材Ｐ２を巻回してもよい。この際、高比重プリプレグ素材Ｐ２は、釣竿の第２次の共振振動の腹若しくは節の位置になるように配置する。係る部分を部分的に加重することで、効果的に竿の調子を調整できる。
さらに、周面にエポキシ樹脂を塗布して、元竿１〜穂先竿３に相当する竿素材をそれぞれ作成し、これらを炉内において焼成する。焼成後、周面を研磨加工し、両端を切断して所定の軸方向長さとして、各竿体を製造する。なお、この実施形態では、第２次の共振振動において釣竿を設定調整する場合を例示しているが、第３次，第４次の共振振動において釣竿を設定調整してもよい。
（変形例）
さらに、上述の実施形態の変形例を以下に示す。
図４に示すように、マンドレル１００の周面にテープ状のプリプレグ素材Ｐ１１を隙間なく螺旋状に巻回し、その周面に高比重プリプレグ素材Ｐ１２を部分的に巻回し、その周面にシート状のプリプレグ素材Ｐ１３を巻回して、竿体を製造してもよい。この場合も、高比重プリプレグ素材Ｐ１２では、上記実施形態と同様に、第２次〜第４次の何れかの共振振動となる際の釣竿の振動数（共振振動数）が所望の振動数となるように各竿体における重量分布をシミュレートして、その配置位置が決定される。そして、特定の共振振動状態での腹若しくは節の少なくとも何れかの位置に高比重プリプレグ素材Ｐ１２が位置するようにする。この高比重プリプレグ素材Ｐ１２も上述の実施形態と同様の金属粉末などが混入されたものである。
なお、この実施形態では、ヘラ竿において説明しているが、釣竿の種類はこれに限定されるものではない。ヘラ竿以外の種類の釣竿であっても、一般に、竿の調子は重要な要素とされるのであるから、他の種類の釣竿に本発明を適用することは当然に可能である。例えば、フライ用の釣竿，ルアー用の釣竿などに本発明を適用することも極めて効果的である。
【産業上の利用可能性】  本発明によれば、良好な竿の調子を演出できる繊維強化樹脂素材からなる釣竿を提供することが可能となる。
【図１】
2004064509.tif 000005
【図２】
2004064509.tif 000006
【図３】
2004064509.tif 000007
【図４】
2004064509.tif 000008
【図５】
2004064509.tif 000009
【図６】
2004064509.tif 000010
【図７】
2004064509.tif 000011
【手続補正書】
【提出日】平成16年10月14日(2004.10.14)
【手続補正００１】
【補正対象書類名】特許請求の範囲
【補正対象項目名】全文
【補正方法】変更
【補正の内容】
【特許請求の範囲】
【請求項１】
釣竿を構成する筒状体である竿体であって、
炭素繊維若しくはガラス繊維などの強化繊維に合成樹脂を含浸させてなるプリプレグ素材からなる本層と、
前記本層に積層される高比重プリプレグ素材からなる重量層と、
前記本層及び重量層の外周面に塗布される塗材からなる塗料層と備え、
前記重量層が竿体全体の５〜５０重量％の重さである竿体。
【請求項２】
前記重量層は前記本層の外周に部分的に積層されており、前記塗料層が前記本層及び重量層の外周面に塗布される、請求項１に記載の竿体。
【請求項３】
前記本層は複数のプリプレグ素材を積層して構成されており、
前記重量層は前記本層の複数のプリプレグ素材の間に積層されている、請求項１に記載の竿体。
【請求項４】
前記高比重プリプレグ素材は、ガラススクリームにエポキシ樹脂を含浸させたものに金属粉末を混入したものである、請求項１〜３の何れかに記載の竿体。
【請求項５】
複数の竿体を連結してなる釣竿であって、
前記竿体は、炭素繊維若しくはガラス繊維などの強化繊維に合成樹脂を含浸させてなるプリプレグ素材からなる本層，前記本層に積層される高比重プリプレグ素材からなる重量層，前記本層及び重量層の外周面に塗布される塗材からなる塗料層と備え、前記重量層が竿体全体の５〜５０重量％の重さであり、
前記重量層が、釣竿全体の第２次の共振振動状態に於ける節の位置の少なくとも１カ所に当たる釣竿の軸方向位置に配置されている、釣竿。
【請求項６】
複数の竿体を連結してなる釣竿であって、
前記竿体は、炭素繊維若しくはガラス繊維などの強化繊維に合成樹脂を含浸させてなるプリプレグ素材からなる本層，前記本層に積層される高比重プリプレグ素材からなる重量層，前記本層及び重量層の外周面に塗布される塗材からなる塗料層と備え、前記重量層が竿体全体の５〜５０重量％の重さであり、
前記重量層が、釣竿全体の第３次の共振振動状態に於ける節の位置の少なくとも１カ所に当たる釣竿の軸方向位置に配置されている、釣竿。
【請求項７】
複数の竿体を連結してなる釣竿であって、
前記竿体は、炭素繊維若しくはガラス繊維などの強化繊維に合成樹脂を含浸させてなるプリプレグ素材からなる本層，前記本層に積層される高比重プリプレグ素材からなる重量層，前記本層及び重量層の外周面に塗布される塗材からなる塗料層と備え、前記重量層が竿体全体の５〜５０重量％の重さであり、
前記重量層が、釣竿全体の第４次の共振振動状態に於ける節の位置の少なくとも１カ所に当たる釣竿の軸方向位置に配置されている、釣竿。
【請求項８】
複数の竿体を連結してなる釣竿であって、
前記竿体は、炭素繊維若しくはガラス繊維などの強化繊維に合成樹脂を含浸させてなるプリプレグ素材からなる本層，前記本層に積層される高比重プリプレグ素材からなる重量層，前記本層及び重量層の外周面に塗布される塗材からなる塗料層と備え、前記重量層が竿体全体の５〜５０重量％の重さであり、
前記重量層が、釣竿全体の第２次の共振振動状態に於ける腹の位置の少なくとも１カ所に当たる釣竿の軸方向位置に配置されている、釣竿。
【請求項９】
複数の竿体を連結してなる釣竿であって、
前記竿体は、炭素繊維若しくはガラス繊維などの強化繊維に合成樹脂を含浸させてなるプリプレグ素材からなる本層，前記本層に積層される高比重プリプレグ素材からなる重量層，前記本層及び重量層の外周面に塗布される塗材からなる塗料層と備え、前記重量層が竿体全体の５〜５０重量％の重さであり、
前記重量層が、釣竿全体の第３次の共振振動状態に於ける腹の位置の少なくとも１カ所に当たる釣竿の軸方向位置に配置されている、釣竿。
【請求項１０】
複数の竿体を連結してなる釣竿であって、
前記竿体は、炭素繊維若しくはガラス繊維などの強化繊維に合成樹脂を含浸させてなるプリプレグ素材からなる本層，前記本層に積層される高比重プリプレグ素材からなる重量層，前記本層及び重量層の外周面に塗布される塗材からなる塗料層と備え、前記重量層が竿体全体の５〜５０重量％の重さであり、
前記重量層が、釣竿全体の第４次の共振振動状態に於ける腹の位置の少なくとも１カ所に当たる釣竿の軸方向位置に配置されている、釣竿。
【請求項１１】
請求項１から４のいずれかに記載の竿体を中竿として備える釣竿。
【請求項１２】
請求項１から４のいずれかに記載の竿体を穂先竿として備える釣竿。
【請求項１３】
請求項１から４のいずれかに記載の竿体を穂先竿、中竿および元竿として備える釣竿。
【手続補正００２】
【補正対象書類名】明細書
【補正対象項目名】０００２
【補正方法】変更
【補正の内容】
【０００２】
及び重量層の外周面に塗布される塗材からなる塗料層と備え、重量層が竿体全体の５〜５０重量％の重さである。このように、釣竿全体に対して所定の重量％の範囲内で重量層を設定し、本層に重量層を積層することで、竿の調子を損なうこと無く、その調整を図ることができる。なお、好ましくは、重量層が竿体全体の１５〜５０重量％とするのが、竿の調子を維持する上では好ましい。
また、本発明の別の竿体では、重量層は本層の外周に部分的に積層されており、塗料層が本層及び重量層の外周面に塗布される。重量層を本層の外周に部分的に積層することで、釣竿全体の軸方向での重量バランスを図りつつ良好な竿の調子を演出できる。
さらに、本発明の別の竿体では、本層は複数のプリプレグ素材を積層して構成されており、重量層は本層の複数のプリプレグ素材の間に積層されている。重量層を本層の間に積層することで、釣竿の軸方向の所定の位置で径方向のバランスを図りつつ良好な竿の調子を演出できる。
さらにまた、本発明の別の竿体では、高比重プリプレグ素材は、ガラススクリームにエポキシ樹脂を含浸させたものに金属粉末を混入したものとされる。例えば、このような高比重プリプレグ素材を６００ｇ／ｍ２，厚さ０．１１０ｍｍ程度とするのが、竿の調子を整える上で好ましい。
本発明に係る釣竿は、複数の竿体を連結してなる釣竿であって、竿体は、炭素繊維若しくはガラス繊維などの強化繊維に合成樹脂を含浸させてなるプリプレグ素材からなる本層，本層に積層される高比重プリプレグ素材からなる重量層，本層及び重量層の外周面に塗布される塗材からなる塗料層と備えている。そして、重量層が竿体全体の５〜５０重量％の重さであり、重量層が、釣竿全体の第２次の共振振動状態に於ける節の位置の少なくとも１カ所に当たる釣竿の軸方向位置に配置されている。
ここでいう「第２次の共振振動」とは、以下のような方法で測定された釣竿の共振振動である。まず、釣竿の竿元側端部から８０ｍｍの範囲を挟持体で挟持して固定し、釣竿を水平方向に維持する。この挟持体を介して加振器から釣竿に振動を加える（釣竿の振動数）。この加振器における加速度を加速度センサーで検知して入力加速度（Ａ）とする。一方、釣竿の竿元側端部より１８０ｍｍの位置における加


【手続補正００３】
【補正対象書類名】明細書
【補正対象項目名】０００３
【補正方法】変更
【補正の内容】
【０００３】
速度を加速度センサーで検知して出力加速度（Ｂ）とする（図５参照）。そして、このＢ／Ａの比を釣竿の振動数に対してプロットし、このＢ／Ａの比がピークとなった状態（共振振動状態）を、釣竿の振動数の小さい方から順に第１次，第２次，第３次，第４次の共振振動とした。このＢ／Ａの比を釣竿の振動数に対してプロットしたグラフの一例を示す（なお、この表１に示すグラフは一例であり、本件発明の内容の特定の数値に関連するものではない）。
2004064509.tif 000012
上記グラフは一例であり、このような両者の関係は、釣竿を構成する竿体の材質，肉厚，径，重量分布などによって変化する。
このような共振振動の中で、第２次の共振振動の振動状態に於ける節の位置に重量層を配置して、係る部分を部分的に加重することで、効果的に竿の調子を調整することができる。
例えば、腹の部分に重量層を配置して部分的に加重すれば、共振振動を生じる共振振動数を効果的にシフトさせることができ、共振振動状態を調整できる。節の部分に重量層を配置して部分的に加重すれば、共振振動を生じる共振振動数に与える影響を可及的に小さく抑えながら重量化を図ることができる。
また、本発明に係る別の釣竿は、複数の竿体を連結してなる釣竿であって、竿体は、炭素繊維若しくはガラス繊維などの強化繊維に合成樹脂を含浸させてなるプリプレグ素材からなる本層，本層に積層される高比重プリプレグ素材からなる重量層，本層及び重量層の外周面に塗布される塗材からなる塗料層と備えている。そして、重量層が竿体全体の５〜５０重量％の重さであり、重量層が、釣竿全体


【手続補正００４】
【補正対象書類名】明細書
【補正対象項目名】０００４
【補正方法】変更
【補正の内容】
【０００４】
の第３次の共振振動状態に於ける節の位置の少なくとも１カ所に当たる釣竿の軸方向位置に配置されている。
ここでいう「第３次の共振振動」は、上述のような方法で測定される第３次の共振振動状態を意味する。第３次の共振振動の振動状態に於ける節の位置に重量層を配置して、係る部分を部分的に加重することで、効果的に竿の調子を調整することができる。
さらに、本発明に係る別の釣竿は、複数の竿体を連結してなる釣竿であって、竿体は、炭素繊維若しくはガラス繊維などの強化繊維に合成樹脂を含浸させてなるプリプレグ素材からなる本層，本層に積層される高比重プリプレグ素材からなる重量層，本層及び重量層の外周面に塗布される塗材からなる塗料層と備えている。そして、重量層が竿体全体の５〜５０重量％の重さであり、重量層が、釣竿全体の第４次の共振振動状態に於ける節の位置の少なくとも１カ所に当たる釣竿の軸方向位置に配置されている。
ここでいう「第４次の共振振動」は、上述のような方法で測定される第４次の共振振動を意味する。第４次の共振振動の振動状態に於ける節の位置に重量層を配置して、係る部分を部分的に加重することで、効果的に竿の調子を調整することができる。
さらに、本発明に係る別の釣竿は、複数の竿体を連結してなる釣竿であって、竿体は、炭素繊維若しくはガラス繊維などの強化繊維に合成樹脂を含浸させてなるプリプレグ素材からなる本層，本層に積層される高比重プリプレグ素材からなる重量層，本層及び重量層の外周面に塗布される塗材からなる塗料層と備えている重量層，本層及び重量層の外周面に塗布される塗材からなる塗料層と備えている。そして、重量層が竿体全体の５〜５０重量％の重さであり、重量層が、釣竿全体の第２次の共振振動状態に於ける腹の位置の少なくとも１カ所に当たる釣竿の軸方向位置に配置されている。
ここでいう「第２次の共振振動」は、上述のような方法で測定される第２次の共振振動を意味する。第２次の共振振動の振動状態に於ける腹の位置に重量層を配置して、係る部分を部分的に加重することで、効果的に竿の調子を調整することができる。
さらに、本発明に係る別の釣竿は、複数の竿体を連結してなる釣竿であって、竿体は、炭素繊維若しくはガラス繊維などの強化繊維に合成樹脂を含浸させてなるプリプレグ素材からなる本層，本層に積層される高比重プリプレグ素材からなる重量層，本層及び重量層の外周面に塗布される塗材からなる塗料層と備えている。そして、重量層が竿体全体の５〜５０重量％の重さであり、重量層が、釣竿全体の第３次の共振振動状態に於ける腹の位置の少なくとも１カ所に当たる釣竿の軸方向位置に配置されている。
ここでいう「第３次の共振振動」は、上述のような方法で測定される第３次の共振振動を意味する。第３次の共振振動の振動状態に於ける腹の位置に重量層を配置して、係る部分を部分的に加重することで、効果的に竿の調子を調整することができる。
さらに、本発明に係る別の釣竿は、複数の竿体を連結してなる釣竿であって、竿体は、炭素繊維若しくはガラス繊維などの強化繊維に合成樹脂を含浸させてなるプリプレグ素材からなる本層，本層に積層される高比重プリプレグ素材からなる重量層，本層及び重量層の外周面に塗布される塗材からなる塗料層と備えている。そして、重量層が竿体全体の５〜５０重量％の重さであり、重量層が、釣竿全体の第４次の共振振動状態に於ける腹の位置の少なくとも１カ所に当たる釣竿の軸方向位置に配置されている。
ここでいう「第４次の共振振動」は、上述のような方法で測定される第４次の共振振動を意味する。第４次の共振振動の振動状態に於ける腹の位置に重量層を配置して、係る部分を部分的に加重することで、効果的に竿の調子を調整することができる。
さらに、本発明に係る別の釣竿は、上記の本発明にかかる竿体を中竿として備える。この釣竿では、重量層を本層の外周に部分的に積層することで、釣竿全体の軸方向での重量バランスを図りつつ良好な竿の調子を演出できる。
さらに、本発明に係る別の釣竿は、上記の本発明にかかる竿体を穂先竿として備える。この釣竿では、重量層を本層の外周に部分的に積層することで、釣竿全体の軸方向での重量バランスを図りつつ良好な竿の調子を演出できる。
さらに、本発明に係る別の釣竿は、上記の本発明にかかる竿体を穂先竿、中竿および元竿として備える。この釣竿では、重量層を本層の外周に部分的に積層することで、釣竿全体の軸方向での重量バランスを図りつつ良好な竿の調子を演出できる。
【図面の簡単な説明】
図１：本発明の第１実施形態を採用した釣竿の全体図である。
図２：図１の中竿２の断面図である。
図３：図２の竿体の製造工程を示した図である。
図４：他の実施形態に係る竿体の製造工程を示した図である。
図５：本発明における共振振動数を測定する状態を示した図である。
図６：有限要素モデルにおける参考図である。
図７：リンクモデルにおける参考図である。
【発明を実施するための最良の形態】
以下、本発明の１つの実施形態を採用した釣竿について説明する。




【国際調査報告】
2004064509.tif 000013
2004064509.tif 000014